(57)【要約】      （修正有）【課題】巨大地震が発生した場合であっても擁壁ブロックの滑動を防止し、更に、強固な擁壁構造を構築することができると共に、擁壁構造の耐震性の要求レベルに応じて、耐震強度を自由に設定し得る擁壁構造を短期間に低コストで構築すること、並びに、平面的な擁壁のみならず、立体的な曲面を有する擁壁構造を、短期間に低コストで構築することを提供する。【解決手段】長軸Ｘ軸と短軸Ｙ軸を有する長方形状の断面形状を備えた柱状の擁壁ブロック５０と、等軸長の擁壁ブロック６０と、を組み合わせた平面状又は曲面状の擁壁構造であって、長軸Ｘ軸と短軸Ｙ軸を有する擁壁ブロック５０の少なくとも一部を、短軸Ｙ軸を擁壁法面に沿って横方向（水平方向）に向け、長軸Ｘ軸を擁壁法面の前方に向かう方向に向けて配置した構成の擁壁構造１００とした。【選択図】図１１
2020033761.tif 000002
【特許請求の範囲】
【請求項１】
長軸Ｘ軸と短軸Ｙ軸を有する長方形状の断面形状を備えた柱状の擁壁ブロックと、
等軸長の擁壁ブロックと、を組み合わせた平面状又は曲面状の擁壁構造であって、
当該長軸Ｘ軸と短軸Ｙ軸を有する擁壁ブロックの少なくとも一部を、短軸Ｙ軸を擁壁法面に沿って横方向（水平方向）に向け、長軸Ｘ軸を擁壁法面の前方に向かう方向に向けて配置した
ことを特徴とする擁壁構造。
【請求項２】
長軸Ｘ軸と短軸Ｙ軸を有する長方形状の断面形状を備え、かつ当該長方形状の断面形状の角部を円弧で丸めるか又は面取りを行った断面形状を備えた柱状の擁壁ブロックと、
等軸長の擁壁ブロックと、を組み合わせた平面状又は曲面状の擁壁構造であって、
当該長軸Ｘ軸と短軸Ｙ軸を有する擁壁ブロックの少なくとも一部を、短軸Ｙ軸を擁壁法面に沿って横方向（水平方向）に向け、長軸Ｘ軸を擁壁法面の前方に向かう方向に向けて配置した
ことを特徴とする擁壁構造。
【請求項３】
請求項１又は２に記載の擁壁構造において、
前記長軸Ｘ軸と短軸Ｙ軸を有する擁壁ブロックと、前記等軸長の擁壁ブロックが横方向（水平方向）に交互に配置されていることを特徴とする擁壁構造。
【請求項４】
請求項１乃至３のいずれかに記載の擁壁構造において、
前記長軸Ｘ軸と短軸Ｙ軸を有する擁壁ブロックと、前記等軸長の擁壁ブロックが横方向（水平方向）に交互に配置されると共に、擁壁法面の上下方向（垂直方向）に複数段段積みされていることを特徴とする擁壁構造。
【請求項５】
請求項４に記載の擁壁構造において、当該擁壁構造がすくなくとも２つの擁壁面を備え、２つの擁壁面の接続部分である擁壁角部において、
前記長軸Ｘ軸と短軸Ｙ軸を有する擁壁ブロックが配置され、擁壁法面の上下方向（垂直方向）上段側の擁壁ブロックの長軸Ｘ軸と下段側の擁壁ブロックの長軸Ｘ軸とが交差するようにして交互に積み重ねられていることを特徴とする擁壁構造。
【請求項６】
請求項４又は５に記載の擁壁構造において、
擁壁法面の上下方向（垂直方向）に複数段段積みされた上段側の擁壁ブロックと下段側の擁壁ブロックが千鳥状に所定距離ずれた状態で配置されていることを特徴とする擁壁構造。
【請求項７】
請求項１乃至６のいずれかに記載された擁壁構造において、
前記長軸Ｘ軸と短軸Ｙ軸を有する擁壁ブロックと、等軸長の擁壁ブロックの各々の外周面には、外周外側方向に突出した複数の突起部が設けられ、水平面内に配置された隣り合う擁壁ブロックの当該突起部同士が互いに噛合うように配置されていることを特徴とする擁壁構造。
【請求項８】
請求項７に記載された擁壁構造において、前記突起部は、擁壁ブロックの全高に亘って伸びていることを特徴とする擁壁構造。
【請求項９】
請求項１乃至８に記載された擁壁構造において、
前記長軸Ｘ軸と短軸Ｙ軸を有する擁壁ブロックの長軸Ｘ軸と短軸Ｙ軸との長さの比が２：１となっており、
前記長軸Ｘ軸と短軸Ｙ軸を有する擁壁ブロックの短軸Ｙ軸の長さと、等軸長の擁壁ブロックのＸ軸およびＹ軸方向の長さが等しいことを特徴とする擁壁構造。
【発明の詳細な説明】
【技術分野】
【０００１】
本発明は、道路工事における擁壁、例えば直立擁壁、河川工事における護岸擁壁、例えば多段積護岸擁壁や緑化型自然護岸擁壁、宅地造成工事の土留擁壁、海岸堤防の護岸擁壁、例えば築堤護岸擁壁、あるいは城壁や石垣等の景観擁壁などの構築に使用される擁壁構造に関するものである。
【背景技術】
【０００２】
このような擁壁構造の例としては、基礎地盤上に配設した基礎部上にブロック３２を段積みして構築する構造物に係る先行技術がある。（特許文献１参照）
この先行技術における段積みブロック３２は、前壁３３及び後壁３４と、両前・後壁３３、３４を連結する連結体（左・右側壁３５、３６）とを具備し、上下方向に開口する四角形筒状に形成され、後壁３４は前壁３３の半分以下の高さに設定されている。  また、左・右側壁３５、３６の上部間には、滑動抵抗体４０が横架されている。
【０００３】
そして、ブロックを段積みして形成される各段の上下境界面位置に、下段ブロック側と上段ブロック側に跨がるよう滑動抵抗体４０が配置され、下段ブロックの前壁３３と同下段ブロック側の滑動抵抗体４０の部分との間に形成される空間に、拘束層形成材（胴込め材３１： 砕石、栗石等）を充填して下段側の前部拘束層を形成すると共に、同下段ブロック側の滑動抵抗体４０の部分と同下段ブロックの後壁ないしは構造物の背後に形成されている法面との間に形成される空間に、拘束層形成材（裏込め材１７）を充填して下段側の後部拘束層を形成するようになっている。
【０００４】
また、上段ブロックの前壁３３と同上段ブロック側の滑動抵抗体４０の部分との間に形成される空間に、拘束層形成材（胴込め材３１： 砕石、栗石等）を充填して上段側の前部拘束層を形成すると共に、同上段ブロック側の滑動抵抗体４０の部分と同上段ブロックの後壁３４との間に形成される空間に、拘束層形成材（胴込め材３１： 砕石、栗石等）を充填して上段側の後部拘束層を形成して、前記各段の上下境界面位置にて、上・下段の前部拘束層を上下方向に連続させると共に、上・下段の後部拘束層を上下方向に連続させて、上下方向に連続する前部拘束層と上下方向に連続する後部拘束層が、上記滑動抵抗体４０を介して反力（受働）を発揮することにより、上下境界面におけるブロックの滑動抵抗力を強化した擁壁ブロックの上下境界部構造を備えた擁壁構造としている。
【０００５】
前記特許文献１が開示する発明の擁壁構造においては、前壁３３、後壁３４、両前・後壁３３、３４を連結する連結体（左・右側壁３５、３６）、および左・右側壁３５、３６の上部間に配置された滑動抵抗体４０によって、擁壁ブロックが滑動することを防止するように配慮されたものであったが、擁壁ブロックの滑動防止のために活動抵抗体４０という特別な部材を準備し、これを擁壁構築段階において、擁壁内部の胴込め材３１の中に埋設することが必要となるため擁壁構築工程が複雑になり、擁壁構築の作業期間が長くなると共に、擁壁構築コストが高くなるという問題があった。
【０００６】
このような問題に対処すると共に、平面的な擁壁のみならず、立体的な曲面を有する擁壁構造を自由に構築することができ、一部の擁壁ブロックのアンカー効果により、擁壁ブロックの滑動を防止し、堅固な擁壁構造を、短期間に低コストで構築できるようにするために、特許文献２が開示する発明の擁壁構造では、以下のような擁壁構造を採用している。
【０００７】
すなわち、（１）長軸Ｘ軸と短軸Ｙ軸を有する長方形状の断面形状を備えた柱状の擁壁ブロック、又は（２）長軸Ｘ軸と短軸Ｙ軸を有する長方形状の断面形状を備え、かつ当該長方形状の断面形状の角部を円弧で丸めるか又は面取りを行った断面形状を備えた柱状の擁壁ブロック、を使用した平面状又は曲面状の擁壁構造であって、長軸Ｘ軸を擁壁法面に沿って横方向（水平方向）に向け、短軸Ｙ軸を擁壁法面の前方に向かう方向に向けて配置した擁壁ブロック（以下、「横配置ブロック」と呼ぶ）と、短軸Ｙ軸を擁壁法面に沿って水平方向に向け、長軸Ｘ軸を擁壁法面の前方に向かう方向に向けて配置した擁壁ブロック（以下、「縦配置ブロック」と呼ぶ）と、を組み合わせた構成の擁壁構造を採用している。
【０００８】
このような擁壁構造を採用することにより、縦配置ブロックのアンカー効果により、擁壁ブロックの滑動を防止し、堅固な擁壁構造を構築することができるという効果を得ることができたが、近年多発する巨大地震にも耐えうる擁壁構造とするためにも、より強固な擁壁構造が求められると共に、擁壁構造の耐震性の要求レベルに応じて、耐震強度を自由に設定し得る擁壁構造を提供することが求められていた。
【先行技術文献】
【特許文献】
【０００９】
【特許文献１】特開２０１１−２０２４９９号公報
【特許文献２】特開２０１７−２０６８３２号公報
【発明の概要】
【発明が解決しようとする課題】
【００１０】
本発明は、以上のような技術的背景に鑑みなされたものであり、巨大地震が発生した場合であっても擁壁ブロックの滑動を防止し、更に、強固な擁壁構造を構築することができると共に、擁壁構造の耐震性の要求レベルに応じて、耐震強度を自由に設定し得る擁壁構造を短期間に低コストで構築することを課題とした。  更に、平面的な擁壁のみならず、立体的な曲面を有する擁壁構造を、短期間に低コストで構築することをも課題とした。
【課題を解決するための手段】
【００１１】
発明者らは、より強固な擁壁構造を構築するために、上述した縦配置ブロックのアンカー効果をいかに高めるかということについて鋭意研究を重ねた結果、縦配置ブロックと縦配置ブロックの外周に設置される中詰材との接触面積の大小が、縦配置ブロックのアンカー効果の大きさに大きな影響を与えることが判明した。
【００１２】
すなわち、縦配置ブロックと縦配置ブロックの外周に設置される中詰材との接触面積であって、縦配置ブロックが滑動する方向（擁壁面の前方に向かう方向）に対して直行する方向の接触面積が大きくなるに従って、縦配置ブロックのアンカー効果が大きくなることが判明した。
【００１３】
そこで、上記課題を解決するために、第１の観点に係る発明では、長軸Ｘ軸と短軸Ｙ軸を有する長方形状の断面形状を備えた柱状の擁壁ブロックと、等軸長の擁壁ブロックと、を組み合わせた平面状又は曲面状の擁壁構造であって、長軸Ｘ軸と短軸Ｙ軸を有する擁壁ブロックの少なくとも一部を、短軸Ｙ軸を擁壁法面に沿って横方向（水平方向）に向け、長軸Ｘ軸を擁壁法面の前方に向かう方向に向けて配置した構成の擁壁構造とした。
【００１４】
また、第２の観点に係る発明では、長軸Ｘ軸と短軸Ｙ軸を有する長方形状の断面形状を備え、かつ長方形状の断面形状の角部を円弧で丸めるか又は面取りを行った断面形状を備えた柱状の擁壁ブロックと、等軸長の擁壁ブロックと、を組み合わせた平面状又は曲面状の擁壁構造であって、長軸Ｘ軸と短軸Ｙ軸を有する擁壁ブロックの少なくとも一部を、短軸Ｙ軸を擁壁法面に沿って横方向（水平方向）に向け、長軸Ｘ軸を擁壁法面の前方に向かう方向に向けて配置した構成の擁壁構造とした。
【００１５】
また、第３の観点に係る発明では、第１又は第２の観点に係る発明の擁壁構造において、長軸Ｘ軸と短軸Ｙ軸を有する擁壁ブロックと、等軸長の擁壁ブロックが横方向（水平方向）に交互に配置されている構成の擁壁構造とした。
【００１６】
更に、第４の観点に係る発明では、第１乃至第３の観点の発明のいずれかに係る擁壁構造において、長軸Ｘ軸と短軸Ｙ軸を有する擁壁ブロックと、等軸長の擁壁ブロックが横方向（水平方向）に交互に配置されると共に、擁壁法面の上下方向（垂直方向）に複数段段積みされている構成の擁壁構造とした。
【００１７】
また、第５の観点に係る発明では、第４の観点に係る発明の擁壁構造において、擁壁構造がすくなくとも２つの擁壁面を備え、２つの擁壁面の接続部分である擁壁角部において、長軸Ｘ軸と短軸Ｙ軸を有する擁壁ブロックが配置され、擁壁法面の上下方向（垂直方向）上段側の擁壁ブロックの長軸Ｘ軸と下段側の擁壁ブロックの長軸Ｘ軸とが交差するようにして交互に積み重ねられている構成の擁壁構造とした。
【００１８】
また、第６の観点に係る発明では、第４又は第５の観点の発明に係る擁壁構造において、擁壁法面の上下方向（垂直方向）に複数段段積みされた上段側の擁壁ブロックと下段側の擁壁ブロックが千鳥状に所定距離ずれた状態で配置されている構成の擁壁構造とした。
【００１９】
更に、第７の観点に係る発明では、第１乃至第６の観点の発明のいずれかに係る擁壁構造において、長軸Ｘ軸と短軸Ｙ軸を有する擁壁ブロックと、等軸長の擁壁ブロックの各々の外周面には、外周外側方向に突出した複数の突起部が設けられ、水平面内に配置された隣り合う擁壁ブロックの突起部同士が互いに噛合うように配置されている構成の擁壁構造とした。
【００２０】
また、第８の観点に係る発明では、第７の観点に係る発明の擁壁構造において、突起部は、擁壁ブロックの全高に亘って伸びている構成の擁壁構造とした。
【００２１】
また、第９の観点に係る発明では、第１乃至第８の観点の発明のいずれかに係る擁壁構造において、長軸Ｘ軸と短軸Ｙ軸を有する擁壁ブロックの長軸Ｘ軸と短軸Ｙ軸との長さの比が２：１となっており、長軸Ｘ軸と短軸Ｙ軸を有する擁壁ブロックの短軸Ｙ軸の長さと、等軸長の擁壁ブロックのＸ軸およびＹ軸方向の長さが等しい構成の擁壁構造とした。
【発明の効果】
【００２２】
上述したような構成の擁壁構造を採用することにより、縦配置ブロックと縦配置ブロックの外周に設置される中詰材との接触面積であって、縦配置ブロックが滑動する方向（擁壁面の前方に向かう方向）に対して直行する方向の接触面積が大きくなるように、縦配置ブロックの配置密度を高めることが可能となり、縦配置ブロックのアンカー効果を最大化することができる。  また、縦配置ブロックの配置密度を適宜設定することができるため、縦配置ブロックのアンカー効果を任意に設定することができる。
【００２３】
従って、巨大地震が発生した場合であっても擁壁ブロックの滑動を防止し、従来技術よりも更に強固な擁壁構造を構築することができると共に、擁壁構造の耐震性の要求レベルに応じて、耐震強度を自由に設定し得る擁壁構造を短期間に低コストで構築することが可能となった。
【００２４】
また、長軸Ｘ軸と短軸Ｙ軸を有する長方形状の断面形状を備えた柱状の擁壁ブロックや、長軸Ｘ軸と短軸Ｙ軸を有する長方形状の断面形状を備え、かつ長方形状の断面形状の角部を円弧で丸めるか又は面取りを行った断面形状を備えた柱状の擁壁ブロックと、特に円筒形状を有する等軸長の擁壁ブロックとを組み合わせることにより、従来技術に比べて、縦配置ブロックの長軸Ｘ軸の向きを水平面内においてより任意に設定することが可能となるため、平面的な擁壁のみならず、立体的な曲面を有する擁壁構造を、短期間に低コストで構築することが可能となった。
【図面の簡単な説明】
【００２５】
【図１】図１は、長軸Ｘ軸と短軸Ｙ軸を有する長方形状の断面形状を備えた柱状の擁壁ブロックを示したものである。
【図２】図２は、長軸Ｘ軸と短軸Ｙ軸を有する長方形状の断面形状を備え、かつ長方形状の断面形状の角部を円弧で丸めるか又は面取りを行った断面形状を備えた柱状の擁壁ブロックを示したものである。
【図３】図３は、円筒形状を有する等軸長の擁壁ブロックを示したものである。
【図４】図４は、長軸Ｘ軸と短軸Ｙ軸を有する長方形状の断面形状を備えた柱状の擁壁ブロックと、正方形断面の柱状形状を有する等軸長の擁壁ブロックを使用して１段積みの擁壁構造を構築した状態を示したものである。
【図５】図５は、長軸Ｘ軸と短軸Ｙ軸を有する長方形状の断面形状を備えた柱状の擁壁ブロックと正方形断面の柱状形状を有する等軸長の擁壁ブロックを使用して多段積みの擁壁構造を構築した状態を示したものである。
【図６】図６は、長軸Ｘ軸と短軸Ｙ軸を有する長方形状の断面形状を備え、かつ長方形状の断面形状の角部を円弧で丸めるか又は面取りを行った断面形状を備えた柱状の擁壁ブロックと円筒形状を有する等軸長の擁壁ブロックを使用して１段積みの擁壁構造を構築した状態を示したものである。
【図７】図７は、長軸Ｘ軸と短軸Ｙ軸を有する長方形状の断面形状を備え、かつ長方形状の断面形状の角部を円弧で丸めるか又は面取りを行った断面形状を備えた柱状の擁壁ブロックと円筒形状を有する等軸長の擁壁ブロックを使用して多段積みの擁壁構造を構築した状態を示したものである。
【図８】図８は、長軸Ｘ軸と短軸Ｙ軸を有する長方形状の断面形状を備えた柱状の擁壁ブロックの変形例を示したものであり、擁壁ブロックの外周面には、外周外側方向に突出した断面が半円弧状の突起部が複数個設けられているものである。
【図９】図９は、長軸Ｘ軸と短軸Ｙ軸を有する長方形状の断面形状を備え、かつ長方形状の断面形状の角部を円弧で丸めるか又は面取りを行った断面形状を備えた柱状の擁壁ブロックの変形例を示したものであり、擁壁ブロックの外周面には、外周外側方向に突出した断面が半円弧状の突起部が複数個設けられているものである。
【図１０】図１０は、円筒形状を有する等軸長の擁壁ブロックの変形例を示したものであり、擁壁ブロックの外周面には、外周外側方向に突出した断面が半円弧状の突起部が複数個設けられているものである。
【図１１】図１１は、図９および図１０に示す擁壁ブロックを使用した擁壁構造の１例を示したものである。
【図１２】図１２は、図９および図１０に示す擁壁ブロックを使用した擁壁構造の別の１例を示したものである。
【発明を実施するための形態】
【００２６】
以下、図面を用いて本発明の実施形態について説明する。  図１は、長軸Ｘ軸と短軸Ｙ軸を有する長方形状の断面形状を備えた柱状の擁壁ブロック１０を示したものであり、図２は、長軸Ｘ軸と短軸Ｙ軸を有する長方形状の断面形状を備え、かつ長方形状の断面形状の角部を円弧で丸めるか又は面取りを行った断面形状を備えた柱状の擁壁ブロック２０を示したものである。  また、図３は、等軸長の擁壁ブロック３０であって、円筒形状を有する擁壁ブロックを示したものである。
【００２７】
図１に示す擁壁ブロック１０は、長方形状の断面形状を備えた柱状の形状を有している。  ここで、長方形断面の長手方向を長軸Ｘ軸と呼び、長方形断面であって長軸Ｘ軸に垂直な方向を短軸Ｙ軸と呼ぶ。  擁壁ブロック１０の内部には、高さ（Ｈ）方向および長さ（Ｌ）方向に沿って１又は複数の空洞部分を設けるようにしても良く、幅（Ｗ）、長さ（Ｌ）、および高さ（Ｈ）の各寸法は任意に設定することができる。  擁壁構造を構築する際の擁壁ブロック１０の配列を簡便にするために、幅（Ｗ）寸法と長さ（Ｌ）寸法の比を１：２に設定しても良い。
【００２８】
擁壁ブロック１０は、コンクリートを使用して形成することができる。  使用するコンクリートとしては、透水性コンクリートおよび非透水性コンクリートのいずれであってもよい。
また、擁壁ブロック１０はコンクリート製に限定されるものではなく、防錆処理をした鉄等の金属製としたり、耐腐食性を備えた樹脂材料製、あるいは樹脂系複合材料製としても良い。
【００２９】
図２に示す擁壁ブロック２０は、長方形状の断面形状を備えた柱状であって、長方形断面の角部は円弧で丸められた形状となっている。  図２に示す擁壁ブロック２０の場合、長方形断面の２つの角部が１つの円弧で丸めた形状となっている（言い換えれば、円弧の直径が擁壁ブロック２０の幅（Ｗ）に等しい寸法となっている）が、これに限定されるものではなく、図２に示す円弧よりも小さな円弧で角部を丸めるようにしても良い。
【００３０】
また、長方形断面の角部は円弧で丸めるのではなく、面取りを行った形状に仕上げるようにしても良い。  この場合の面取りの大きさは任意に決定することができる。
【００３１】
図２に示す擁壁ブロック２０でも、図１に示す擁壁ブロック１０と同様に、角部を円弧で丸めるか又は面取りを行った断面形状の長手方向を長軸Ｘ軸と呼び、角部を円弧で丸めるか又は面取りを行った断面内であって長軸Ｘ軸に垂直な方向を短軸Ｙ軸と呼ぶ。  擁壁ブロック２０の内部には、高さ（Ｈ）方向及び長さ（Ｌ）方向に沿って１又は複数の空洞部分を設けるようにしても良く、幅（Ｗ）、長さ（Ｌ）、および高さ（Ｈ）の各寸法は任意に設定することができる。  擁壁構造を構築する際の擁壁ブロック２０の配列を簡便にするために、幅（Ｗ）寸法と長さ（Ｌ）寸法の比を１：２に設定しても良い。
【００３２】
擁壁ブロック２０は、擁壁ブロック１０と同様にコンクリートを使用して形成することができる。  使用するコンクリートとしては、透水性コンクリートおよび非透水性コンクリートのいずれであってもよい。
また、擁壁ブロック２０はコンクリート製に限定されるものではなく、防錆処理をした鉄等の金属製としたり、耐腐食性を備えた樹脂材料製、あるいは樹脂系複合材料製としても良い。
【００３３】
図３に示すのは、等軸長の擁壁ブロック３０の代表的な例である円筒形状を有する等軸長の擁壁ブロック３０である。  円筒形状を有する等軸長の擁壁ブロック３０は、中空円筒状の形状を有し、直径（Ｄ）、高さ（Ｈ）、肉厚（Ｔ）等の寸法は特に限定されるものではない。
なお、本明細書において等軸長の擁壁ブロック３０とは、図３に示すＸ軸方向およびＹ軸方向の長さが等しい柱状の擁壁ブロックであると定義される。
従って円筒形状を有する擁壁ブロックのみならず、正方形断面の柱状形状を有する擁壁ブロックや、多角形断面の柱状形状を有する擁壁ブロックなども等軸長の擁壁ブロック３０に包含される。
また、擁壁構造を構築する際の擁壁ブロック３０の配列を簡便にするために、等軸長の擁壁ブロック３０のＸ軸方向長さおよびＹ軸方向長さを擁壁ブロック１０および２０の幅（Ｗ）と同じになるように設定し、等軸長の擁壁ブロック３０の高さ（Ｈ）を擁壁ブロック１０および２０の高さ（Ｈ）と同じになるように設定しても良い。
【００３４】
擁壁ブロック３０は、擁壁ブロック１０および２０と同様にコンクリートを使用して形成することができる。  使用するコンクリートとしては、透水性コンクリートおよび非透水性コンクリートのいずれであってもよい。
また、擁壁ブロック３０はコンクリート製に限定されるものではなく、防錆処理をした鉄等の金属製としたり、耐腐食性を備えた樹脂材料製、あるいは樹脂系複合材料製としても良い。
【００３５】
図４は、擁壁ブロック１０（長軸Ｘ軸と短軸Ｙ軸を有する長方形状の断面形状を備えた柱状の擁壁ブロック）と擁壁ブロック３０（正方形断面の柱状形状を有する等軸長の擁壁ブロック）を組み合わせて使用し、１段積みの擁壁構造１００を構築した場合の斜視図を示したものである。  この擁壁構造１００においては、擁壁ブロック１０と擁壁ブロック３０を複数個組み合わせて配置して擁壁構造１００を構築している。  図４は擁壁ブロックの配置方法の１例を示したものであって、図４に示す擁壁構造１００では、擁壁ブロック１０の短軸Ｙ軸を擁壁法面に沿って横方向（水平方向）に向け、長軸Ｘ軸を擁壁法面の前方に向かう方向に向けて配置する（この擁壁ブロック１０を「縦配置ブロック」と呼ぶ）と共に、擁壁ブロック１０の間には等軸長の擁壁ブロック３０が配置されている。  図４に示す擁壁構造１００では、擁壁ブロック１０と擁壁ブロック３０が規則的に交互に配置されているが、必ずしも規則的に交互に配置する必要はなく、自由な順番で擁壁ブロック１０と擁壁ブロック３０を配置することができる。
【００３６】
図５は、擁壁ブロック１０と擁壁ブロック３０（正方形断面の柱状形状を有する等軸長の擁壁ブロック）を組み合わせて使用し、多段積みの擁壁構造１００を構築した場合の斜視図を示したものである。  この擁壁構造１００においては、図４で示した１段積みの擁壁構造１００の上に、更に、擁壁ブロック１０と擁壁ブロック３０（正方形断面の柱状形状を有する等軸長の擁壁ブロック）を組み合わせて複数段段積みしたものである。
【００３７】
図５に示す擁壁構造１００では、上段側における擁壁ブロック１０（あるいは擁壁ブロック３０）が、下段側における擁壁ブロック１０（あるいは擁壁ブロック３０）と横方向（水平方向）に所定距離だけ離れて配置されているが、これに限定されるものではない。  上段側における擁壁ブロック１０の配置形態と下段側における擁壁ブロック１０の配置形態に、特定の規則性持たせないようにして擁壁構造１００を構築することもできる。
【００３８】
なお、擁壁ブロック１０および擁壁ブロック３０の中の中空部分、並びに擁壁ブロック１０および擁壁ブロック３０と法面５の間の空間には砕石や栗石等からなる中詰材６を充填し、これを転圧するようにしても良い。
【００３９】
ここで述べた擁壁構造１００とすることにより、特に縦配置ブロックの外周側面であって法面５側は転圧された中詰材６と接触することになり、縦配置ブロックが法面前方側に滑動するのを防止する抵抗力が発生することになる。  このように縦配置ブロックが法面前方側に滑動するのを防止する効果を、ここでは縦配置ブロックのアンカー効果と呼ぶことにする。
【００４０】
従って、擁壁ブロック１０の間に擁壁ブロック３０を配置することにより、擁壁ブロック１０（縦配置ブロック）の配置密度を高めることができるようになると共に、転圧された中詰材６と接触する擁壁ブロック１０（縦配置ブロック）の外周であって、擁壁ブロック１０の滑動する方向に対して垂直な面を最大化できることから、接触抵抗が最大化し、縦配置ブロックのアンカー効果を最大限に引き出すことができるようになる。
【００４１】
また、ここで説明した擁壁構造１００は、擁壁ブロック１０と擁壁ブロック３０を組み合わせて配置するだけで良く、特別な機械等を用いたり、特別な現場作業が必要になることもないので、堅固な擁壁構造１００を、短期間に低コストで構築することが可能となる。
【００４２】
図６は、擁壁ブロック２０（長軸Ｘ軸と短軸Ｙ軸を有する長方形状の断面形状を備え、かつ長方形状の断面形状の角部を円弧で丸めるか又は面取りを行った断面形状を備えた柱状の擁壁ブロック）と擁壁ブロック３０（円筒形状を有する等軸長の擁壁ブロック）を組み合わせて使用し、１段積みの擁壁構造１００を構築した場合の斜視図を示したものである。  この擁壁構造１００においては、擁壁ブロック２０と擁壁ブロック３０（円筒形状を有する等軸長の擁壁ブロック）を複数個組み合わせて配置して擁壁構造１００を構築している。  図６は擁壁ブロックの配置方法の１例を示したものであって、図６に示す擁壁構造１００では、擁壁ブロック２０の短軸Ｙ軸を擁壁法面に沿って横方向（水平方向）に向け、長軸Ｘ軸を擁壁法面の前方に向かう方向に向けて配置する（この擁壁ブロック２０を「縦配置ブロック」と呼ぶ）と共に、擁壁ブロック２０の間には擁壁ブロック３０が配置されている。  図６に示す擁壁構造１００では、擁壁ブロック２０と擁壁ブロック３０が規則的に交互に配置されているが、必ずしも規則的に交互に配置する必要はなく、自由な順番で擁壁ブロック２０と擁壁ブロック３０を配置することができる。
【００４３】
図７は、擁壁ブロック２０と擁壁ブロック３０（円筒形状を有する等軸長の擁壁ブロック）を組み合わせて使用し、多段積みの擁壁構造１００を構築した場合の斜視図を示したものである。  この擁壁構造１００においては、図６で示した１段積みの擁壁構造１００の上に、更に、擁壁ブロック２０と擁壁ブロック３０（円筒形状を有する等軸長の擁壁ブロック）を組み合わせて複数段段積みしたものである。
なお、図６および図７に示す擁壁構造１００の特徴点および効果等については、図４および図５に関連して説明した擁壁構造１００と同様であるため、詳細な説明は省略するが、ここでは、等軸長の擁壁ブロックとして円筒形状を有する等軸長の擁壁ブロックを使用しているため、縦配置ブロックの水平面内における配向方向の自由度が向上するため、平面的な擁壁のみならず、立体的な曲面を有する法面を形成する擁壁を自由に構築することができる。
【００４４】
図８に示す擁壁ブロック４０（長軸Ｘ軸と短軸Ｙ軸を有する長方形状の断面形状を備えた柱状の擁壁ブロック）は、擁壁ブロック１０の変形例であり、擁壁ブロック４０の外周面には、外周外側方向に突出した断面が半円弧状の突起部４１が複数個設けられている。  図８に示す擁壁ブロック４０では、この半円弧状の突起部４１は、擁壁ブロック４０の全高に亘って伸びているが、このような態様に限定されるものではなく、突起部４１は、擁壁ブロック４０の高さ方向中央部分のみに設けたり、擁壁ブロック４０の上端側端部、あるいは下端側端部にのみ設けるようにしても良い。  また、突起部４１の断面形状は半円弧状となっているが、これに限定されるものではなく、矩形状、三角形状、台形状の断面形状を有する突起部４１としても良い。
【００４５】
また、図９に示す擁壁ブロック５０（長軸Ｘ軸と短軸Ｙ軸を有する長方形状の断面形状を備え、かつ当該長方形状の断面形状の角部を円弧で丸めるか又は面取りを行った断面形状を備えた柱状の擁壁ブロック）は、擁壁ブロック２０の変形例であり、擁壁ブロック５０の外周面には、外周外側方向に突出した断面が半円弧状の突起部５１が複数個設けられている。  図９に示す擁壁ブロック５０では、前述した擁壁ブロック４０と同様に、半円弧状の突起部５１は、擁壁ブロック５０の全高に亘って伸びているが、このような態様に限定されるものではなく、突起部５１は、擁壁ブロック５０の高さ方向中央部分のみに設けたり、擁壁ブロック５０の上端側端部、あるいは下端側端部にのみ設けるようにしても良い。  また、突起部５１の断面形状は半円弧状となっているが、これに限定されるものではなく、矩形状、三角形状、台形状の断面形状を有する突起部５１としても良い。
【００４６】
また、図１０に示す擁壁ブロック６０（等軸長の擁壁ブロック）は、擁壁ブロック３０（円筒形状を有する等軸長の擁壁ブロック）の変形例であり、擁壁ブロック６０の外周面には、外周外側方向に突出した断面が半円弧状の突起部６１が複数個設けられている。  図１０に示す擁壁ブロック６０では、前述した擁壁ブロック４０、５０と同様に、半円弧状の突起部６１は、擁壁ブロック６０の全高に亘って伸びているが、このような態様に限定されるものではなく、突起部６１は、擁壁ブロック６０の高さ方向中央部分のみに設けたり、擁壁ブロック６０の上端側端部、あるいは下端側端部にのみ設けるようにしても良い。  また、突起部６１の断面形状は半円弧状となっているが、これに限定されるものではなく、矩形状、三角形状、台形状の断面形状を有する突起部６１としても良い。
なお、正方形断面の柱状形状を有する等軸長の擁壁ブロックや、多角形断面の柱状形状を有する等軸長の擁壁ブロックについても上述したような突起部を備えることができる。
【００４７】
ここで説明した擁壁ブロック４０と６０、又は擁壁ブロック５０と６０を組み合わせて使用し、先に説明した擁壁構造１００と同様な擁壁構造を構築することが可能である。  なお、擁壁ブロック４０と６０、又は擁壁ブロック５０と６０を組み合わせて使用し、擁壁構造１００と同様な擁壁構造を構築することにより、擁壁ブロック４０の突起部４１と擁壁ブロック６０の突起部６１、あるいは擁壁ブロック５０の突起部５１と擁壁ブロック６０の突起部６１がそれぞれ互いに噛合うようにして配置することができ、擁壁ブロック４０および擁壁ブロック６０、あるいは擁壁ブロック５０および擁壁ブロック６０の滑動を防止する効果が高まり、より堅固な擁壁構造を構築することが可能となる。
【００４８】
図１１は、擁壁ブロック５０（長軸Ｘ軸と短軸Ｙ軸を有する長方形状の断面形状を備え、かつ当該長方形状の断面形状の角部を円弧で丸めるか又は面取りを行った断面形状を備えた柱状の擁壁ブロック）と擁壁ブロック６０（円筒形状を有する等軸長の擁壁ブロック）を組み合わせて使用し、構築した擁壁構造１００の１例を示したものである。
【００４９】
図１１に示す擁壁構造１００では、擁壁ブロック５０を、短軸Ｙ軸を擁壁法面に沿って横方向（水平方向）に向け、長軸Ｘ軸を擁壁法面の前方に向かう方向に向けて配置する（すなわち、縦配置ブロックとして使用する）のみならず、長軸Ｘ軸を擁壁法面に沿って横方向（水平方向）に向け、短軸Ｙ軸を擁壁法面の前方に向かう方向に向けて配置（横配置ブロック）している。  そして、擁壁ブロック５０の間には擁壁ブロック６０が配置されている。  ここで説明したように、擁壁ブロック５０と擁壁ブロック６０を組み合わせて使用し、擁壁構造１００を構築することにより、多種多彩な擁壁構造１００を構築することが可能となる。
【００５０】
図１２に示す擁壁構造１００では、擁壁ブロック５０と擁壁ブロック６０（円筒形状を有する等軸長の擁壁ブロック）を組み合わせて使用し、構築した擁壁構造１００の別の１例を示したものである。  図１２に示す擁壁構造１００では、２つの擁壁面の接続部分である擁壁角部に擁壁ブロック５０が配置され、擁壁法面の上下方向（垂直方向）上段側の擁壁ブロック５０の長軸Ｘ軸と、下段側の擁壁ブロック５０の長軸Ｘ軸とが交差するようにして交互に積み重ねられている。  このような擁壁構造１００を採用することにより、擁壁構造１００の角部の強度を高めることが可能となる。
【符号の説明】
【００５１】
５        法面
６        中詰材
１０      擁壁ブロック
２０      擁壁ブロック
３０      擁壁ブロック
４０      擁壁ブロック
４１      突起部
５０      擁壁ブロック
５１      突起部
６０      擁壁ブロック
６１      突起部
１００    擁壁構造
【図１】
2020033761.tif 000003
【図２】
2020033761.tif 000004
【図３】
2020033761.tif 000005
【図４】
2020033761.tif 000006
【図５】
2020033761.tif 000007
【図６】
2020033761.tif 000008
【図７】
2020033761.tif 000009
【図８】
2020033761.tif 000010
【図９】
2020033761.tif 000011
【図１０】
2020033761.tif 000012
【図１１】
2020033761.tif 000013
【図１２】
2020033761.tif 000014